【手続補正書】
【提出日】令和1年6月25日(2019.6.25)
【手続補正１】
【補正対象書類名】特許請求の範囲
【補正対象項目名】全文
【補正方法】変更
【補正の内容】
【特許請求の範囲】
【請求項１】
第１の撮影設定に基づいて、第１の画像を撮像する撮像手段と、
前記第１の撮影設定と前記第１の画像の特徴量とに基づいて、被写体のシーンを判別するシーン判別手段と、
前記シーン判別手段による判別の結果に基づいて、撮影設定の候補を生成する候補生成手段と、
前記候補生成手段によって生成された撮影設定の候補に基づいて、該撮影設定の候補により得られる効果を反映した画像を生成する画像生成手段と、
前記画像生成手段によって生成された画像を表示手段に表示させる表示制御手段と、を備え、
前記候補生成手段は、前記シーン判別手段による判別の結果に基づいて前記撮影設定のうちの所定のパラメータが閾値以上離れた複数の撮影設定の候補を生成する第１の動作と、前記シーン判別手段による判別の結果に基づいて少なくとも１つの撮影設定の候補を生成する第２の動作の少なくともいずれかを行い、
前記表示制御手段は、前記第１の動作により生成された前記撮影設定の候補を優先的に前記表示手段に表示させることを特徴とする撮像装置。
【請求項２】
前記表示手段により表示された複数の前記画像から、ユーザが１つの画像を選択するための選択手段をさらに備えることを特徴とする請求項１に記載の撮像装置。
【請求項３】
前記選択手段により選択された画像に対応する撮影設定を用いて前記撮像手段に撮影を行わせる制御手段をさらに備えることを特徴とする請求項２に記載の撮像装置。
【請求項４】
前記画像生成手段は、前記第１の画像に対して画像処理を施すことにより、前記撮影設定の候補により得られる効果を反映した画像を生成することを特徴とする請求項１乃至３のいずれか１項に記載の撮像装置。
【請求項５】
前記候補生成手段は、前記第１の動作により２つの前記撮影設定の候補を生成するとともに、前記第２の動作により少なくとも１つの前記撮影設定の候補を生成し、前記表示制御手段は、前記第１の動作により前記撮影設定の候補が生成された場合には、前記第１の動作と前記第２の動作により生成された複数の撮影設定の候補を前記表示手段に表示させ、前記第１の動作により前記撮影設定の候補が生成されなかった場合には、前記第２の動作により生成された前記撮影設定の候補を前記表示手段に表示させることを特徴とする請求項１乃至４のいずれか１項に記載の撮像装置。
【請求項６】
前記第１の動作で生成された前記撮影設定の候補と前記第２の動作で生成された前記撮影設定の候補について類似度を判定する判定手段をさらに備え、前記表示制御手段は、前記判定手段により類似度が高いと判定されなかった前記撮影設定の候補を前記表示手段に表示させることを特徴とする請求項５に記載の撮像装置。
【請求項７】
前記候補生成手段は、前記シーン判別手段により、ポートレイト撮影、逆光撮影、マクロ撮影のいずれかが判別された場合には、絞り値または露出の異なる前記撮影設定の候補を生成することを特徴とする請求項１乃至６のいずれか１項に記載の撮像装置。
【請求項８】
前記候補生成手段は、前記シーン判別手段によりポートレイト撮影が判別された場合には、前記第１の動作において、絞り開放の前記撮影設定の候補と、所定値よりも絞りを絞った前記撮影設定の候補とを生成することを特徴とする請求項７に記載の撮像装置。
【請求項９】
前記候補生成手段は、前記シーン判別手段により逆光撮影が判別された場合には、主被写体が適正露出となる前記撮影設定の候補と、背景が適正露出となる前記撮影設定の候補とを生成することを特徴とする請求項７に記載の撮像装置。
【請求項１０】
前記候補生成手段は、前記シーン判別手段によりマクロ撮影が判別された場合には、絞り開放の前記撮影設定の候補と、所定値よりも絞りを絞った前記撮影設定の候補とを生成することを特徴とする請求項７に記載の撮像装置。
【請求項１１】
前記候補生成手段は、前記シーン判別手段により、風景撮影、夕景撮影、夜景撮影、ハイキー撮影、ローキー撮影、モノクロ撮影のいずれかが判別された場合には、前記第２の動作により前記撮影設定の候補を生成することを特徴とする請求項１乃至６のいずれか１項に記載の撮像装置。
【請求項１２】
前記候補生成手段は、前記第２の動作において、画面内の色分布に基づいて前記撮影設定の候補を生成することを特徴とする請求項１乃至６のいずれか１項に記載の撮像装置。
【請求項１３】
前記候補生成手段は、前記第２の動作において、緑色、黄色、青色、マゼンタの色分布に基づいて前記撮影設定の候補を生成することを特徴とする請求項１２に記載の撮像装置。
【請求項１４】
第１の画像の特徴量に基づいて、被写体のシーンを判別するシーン判別手段と、
前記シーン判別手段による判別の結果に基づいて、撮影パラメータおよび画像処理パラメータの少なくともいずれかに関する設定の候補を生成する候補生成手段と、
前記候補生成手段によって生成された設定の候補に基づいて、該設定の候補により得られる効果を反映した画像を生成する画像生成手段と、
前記画像生成手段によって生成された画像を表示手段に表示させる表示制御手段と、を備え、
前記候補生成手段は、前記シーン判別手段による判別の結果に基づいて前記設定のうちの所定のパラメータが閾値以上離れた複数の設定の候補を生成する第１の動作と、前記シーン判別手段による判別の結果に基づいて少なくとも１つの設定の候補を生成する第２の動作の少なくともいずれかを行い、
前記表示制御手段は、前記第１の動作により生成された前記設定の候補を優先的に前記表示手段に表示させることを特徴とする画像処理装置。
【請求項１５】
前記表示手段により表示された複数の前記画像から、ユーザが１つの画像を選択するための選択手段をさらに備えることを特徴とする請求項１４に記載の画像処理装置。
【請求項１６】
前記選択手段により選択された画像に対応する設定を用いて撮像手段に撮影を行わせる制御手段をさらに備えることを特徴とする請求項１５に記載の画像処理装置。
【請求項１７】
前記画像生成手段は、前記第１の画像に対して画像処理を施すことにより、前記設定の候補により得られる効果を反映した画像を生成することを特徴とする請求項１４乃至１６のいずれか１項に記載の画像処理装置。
【請求項１８】
第１の撮影設定に基づいて、第１の画像を撮像する撮像手段を備える撮像装置を制御する方法であって、
前記第１の撮影設定と前記第１の画像の特徴量とに基づいて、被写体のシーンを判別するシーン判別工程と、
前記シーン判別工程における判別の結果に基づいて、撮影設定の候補を生成する候補生成工程と、
前記候補生成工程において生成された撮影設定の候補に基づいて、該撮影設定の候補により得られる効果を反映した画像を生成する画像生成工程と、
前記画像生成工程において生成された画像を表示手段に表示させる表示工程と、を有し、
前記候補生成工程では、前記シーン判別工程における判別の結果に基づいて前記撮影設定のうちの所定のパラメータが閾値以上離れた複数の撮影設定の候補を生成する第１の動作と、前記シーン判別工程における判別の結果に基づいて少なくとも１つの撮影設定の候補を生成する第２の動作の少なくともいずれかを行い、
前記表示工程では、前記第１の動作により生成された前記撮影設定の候補を優先的に前記表示手段に表示させることを特徴とする撮像装置の制御方法。
【請求項１９】
第１の画像の特徴量に基づいて、被写体のシーンを判別するシーン判別工程と、
前記シーン判別工程における判別の結果に基づいて、撮影パラメータおよび画像処理パラメータの少なくともいずれかに関する設定の候補を生成する候補生成工程と、
前記候補生成工程において生成された設定の候補に基づいて、該設定の候補により得られる効果を反映した画像を生成する画像生成工程と、
前記画像生成工程において生成された画像を表示手段に表示させる表示工程と、を有し、
前記候補生成工程では、前記シーン判別工程における判別の結果に基づいて前記設定のうちの所定のパラメータが閾値以上離れた複数の設定の候補を生成する第１の動作と、前記シーン判別工程における判別の結果に基づいて少なくとも１つの設定の候補を生成する第２の動作の少なくともいずれかを行い、
前記表示工程では、前記第１の動作により生成された前記設定の候補を優先的に前記表示手段に表示させることを特徴とする画像処理装置の制御方法。
【請求項２０】
請求項１８又は１９に記載の制御方法の各工程をコンピュータに実行させるためのプログラム。
【手続補正２】
【補正対象書類名】明細書
【補正対象項目名】０００７
【補正方法】変更
【補正の内容】
【０００７】
本発明に係わる撮像装置は、第１の撮影設定に基づいて、第１の画像を撮像する撮像手段と、前記第１の撮影設定と前記第１の画像の特徴量とに基づいて、被写体のシーンを判別するシーン判別手段と、前記シーン判別手段による判別の結果に基づいて、撮影設定の候補を生成する候補生成手段と、前記候補生成手段によって生成された撮影設定の候補に基づいて、該撮影設定の候補により得られる効果を反映した画像を生成する画像生成手段と、前記画像生成手段によって生成された画像を表示手段に表示させる表示制御手段と、を備え、前記候補生成手段は、前記シーン判別手段による判別の結果に基づいて前記撮影設定のうちの所定のパラメータが閾値以上離れた複数の撮影設定の候補を生成する第１の動作と、前記シーン判別手段による判別の結果に基づいて少なくとも１つの撮影設定の候補を生成する第２の動作の少なくともいずれかを行い、前記表示制御手段は、前記第１の動作により生成された前記撮影設定の候補を優先的に前記表示手段に表示させることを特徴とする。
【手続補正３】
【補正対象書類名】明細書
【補正対象項目名】０００８
【補正方法】変更
【補正の内容】
【０００８】
同様に、本発明に係わる画像処理装置は、第１の画像の特徴量に基づいて、被写体のシーンを判別するシーン判別手段と、前記シーン判別手段による判別の結果に基づいて、撮影パラメータおよび画像処理パラメータの少なくともいずれかに関する設定の候補を生成する候補生成手段と、前記候補生成手段によって生成された設定の候補に基づいて、該設定の候補により得られる効果を反映した画像を生成する画像生成手段と、前記画像生成手段によって生成された画像を表示手段に表示させる表示制御手段と、を備え、前記候補生成手段は、前記シーン判別手段による判別の結果に基づいて前記設定のうちの所定のパラメータが閾値以上離れた複数の設定の候補を生成する第１の動作と、前記シーン判別手段による判別の結果に基づいて少なくとも１つの設定の候補を生成する第２の動作の少なくともいずれかを行い、前記表示制御手段は、前記第１の動作により生成された前記設定の候補を優先的に前記表示手段に表示させることを特徴とする。